(57)【特許請求の範囲】
【請求項１】
下側挟み片を柄杓状に、上側挟み片を蓋状にして挟むように動くことができる相対する挟み片を持ち、使用時には両挟み片を包むようにビニール袋を被せ、挟み口を凹ませた上で糞を挟み入れ、散歩後糞の入ったビニール袋より糞をトイレに流すなり、ビニール袋の端を裏返して包み込まれた糞ごと取り出し、口元を結ぶなりして処理できる糞取り器で、両挟み片の支点の前後に移動できるゴムＯリング等を嵌め込み、ゴムＯリング等を支点の手前に置いて挟み口が開いた状態に、支点の前側に移動させて挟み口が閉じた状態にできる携帯用糞取り器。
【発明の詳細な説明】
【０００１】
【発明の属する技術分野】
本発明は主にペット犬の散歩時に用いる携帯用糞取り器に関するものである。
【０００２】
【従来の技術】
ペット犬は一般に散歩時に糞をする習性があり、近年市街化が進む中で糞の後始末が義務づけられるようになってきている。このため小スコップとビニール袋を持って犬を散歩させている姿が一般的であるが、スコップが汚れるしスコップの端で糞が逃げて掬いにくかった。
【０００３】
【発明が解決しようとする課題】
本発明はビニール袋を利用して手はもちろん糞取り器も汚さずに、しかも糞が逃げないよう挟み取る取り方をし、取り外す時はビニール袋を裏返しながら取り外すことできれいな側が外側になりビニール袋に入った形で糞を取り出すことができることを目的としている。また犬は散歩中２〜３回糞をすることがあるためその間安心して保持でき、そのすべての糞に対応できることが望ましい。
【０００４】
【課題を解決するための手段】
ビニール袋を直接手に被せる方法を除き糞取り方法で最も簡易なものは、一本の柄にリング状の針金が付いたのみのもので、これにビニール袋を被せ、針金の輪の中に糞を掬ってからビニール袋を裏返せば他は汚さずに糞は袋の中に入る。しかしこのタイプだと針金の端で糞が逃げて取りにくいことがあり、また糞が上から直に見えるため庭の糞を取るには良いが２度目の糞まで暫く歩くには適当でない。
【０００５】
これを改良して２つの柄付きリングを使い相対する挟み片として、使用時には両挟み片
を包むようにビニール袋を被せ、挟み口を凹ました上で糞を挟み入れる。こうすると糞が取りやすいうえに蓋付きとなって安心できる。糞を取り出す時はビニール袋の端を引き戻せば他は汚さずに糞はビニール袋に入った状態で取り出せる。この方法は簡易であるがビニール袋の端を押さえていないと糞の重みで袋が垂れ落ちやすい。またビニール袋から糞が透けて見える。
【０００６】
そこでこの柄付きリングの下側片を柄杓状に成るように、上側片は蓋状に成るように成形した上でビニール袋を使用すれば糞が支えられて垂れ落ちることなく、また糞が見えず使いやすい。
【０００７】
なお両挟み片の通常の状態であるが挟み口が開いているタイプは簡便であるが糞を入れたら押さえている必要がある。通常は挟み口が閉じているタイプは開けるための方法が必要になる。挟み口が閉じようとするタイプだとぶら下げるように持っても糞を落とすことがない。
【０００８】
【発明の実施の形態】
発明の実施の形態を実施例に基づき図面を参照して説明する。
図１は最も簡易なものとして一本の柄にリング状の針金が付いたのみのものの斜視図で１は柄、２はリングを示す。
図２は図１の柄付きリングを２つ組み合わせた例を示す。図において３は支点、４は輪ゴム、５は輪ゴムの後方抜け防止ピンを示す。これは通常には挟み口が開いているタイプになる。
【０００９】
図３は下側挟み片６を柄杓状に、上側挟み片７を蓋状にした組み合わせた例の斜視図である。図において８はビニール袋の端挟み、９はゴムＯリング、１０はゴムＯリングの前側位置決めピンを示している。この例では常にはゴムＯリングは後端にあって挟み口が開いた状態であるが、糞を掬って移動時にはゴムＯリングを前側に移動させれば閉じる状態にできる。なお柄杓部１１は２度目以降の糞掬い時に初めの糞が保持できるよう前側の深い形状が望ましい。
【００１０】
図４に下側挟み片を柄杓状に、上側挟み片を蓋状にして組み合わせた別例の斜視図を示す。図において１２はヒンジ、１３はスプリングを示し、この例では通常には挟み口が閉じるタイプを示している。１４は横方向に輪を成す上側指掛け、１５は縦方向に輪を成す下側指掛けを示し、この下側指掛けは前端でビニール袋の端挟みを兼ねる形状にしてある。１６はぶら下げ用掛け紐を示す。
【００１１】
図５から図１２は図４の実施例を使って本発明の糞取り方法を図解で示す。
図５ではまず糞取り器の挟み口全体を包むようにビニール袋１７を被せ、挟み口を一時開けてビニール袋を図のように凹ましておく。
図６は第一回目の糞を図のように挟み取る。
図７は第二回目の糞を挟んでいる。このとき初めの糞は柄杓部１１側にある。
図８は糞を入れたままの運搬時の状態を示す。糞はビニール袋を介して柄杓部１１内にある。
図９は糞取り出し時、外側のビニール袋の一端より引き戻し裏返し始めた所を示す。上下いずれの端からでもよい。
図１０はビニール袋をほぼ引き戻し裏返し終わった所を示す。
図１１は裏返し終わり、糞の入ったビニール袋を取り出す所を示す。
図１２は取り出し終わり、分離した状態を示す。
【００１２】
【発明の効果】
本発明の明細書中でビニール袋と言って想定しているものは食品スーパー店で購入者に自由に利用させている薄い透明ビニール袋のことである。これなら食品購入時利用後は不要になるものであってコストが特に安い。
【００１３】
ペット犬は一般に一回の散歩で２〜３回糞をするものであるが、本発明によれば一枚のビニール袋でこのすべての糞に対応できる。
【００１４】
一回目の糞取り時、二回目以降の糞取り時、および糞袋の取り出し時を含めて手や器具を汚す心配がない。
【００１５】
散歩後糞の入ったビニール袋は、糞をトイレに流すなり、口元を結ぶなりしてまとめて置き別途処理できる。
【００１６】
【図面の簡単な説明】
【図１】一本の柄にリング状の針金が付いたのみのものの斜視図。
【図２】図１の柄付きリングを２つ組み合わせた例を示す斜視図。
【図３】下側挟み片を柄杓状に、上側挟み片を蓋状にして、ゴムＯリングの移動で開閉をコントロールできるようにした本発明の一例を示す斜視図。
【図４】下側挟み片を柄杓状に、上側挟み片を蓋状にして、常には挟み口が閉じているタイプで、横方向に輪を成す上側指掛けと、縦方向に輪を成す下側指掛けを設けた本発明の別例を示す斜視図。
【図５】本発明の糞取り法を示す図解の内、まずビニール袋のセット法を示す説明図。
【図６】第一回目の糞を取る方法の説明図。
【図７】第二回目以降の糞を取る方法の説明図。
【図８】糞を入れたまま運搬時の状態を示す説明図。
【図９】糞取り出し時、ビニール袋の一端より裏返し始めた説明図。
【図１０】糞取り出し時、ビニール袋をほぼ裏返し終わるところの説明図。
【図１１】裏返し終わり、糞が包み込まれたビニール袋を取り出す説明図。
【図１２】取り出し終わり、分離した状態を示す説明図。
【００１７】
【符号の説明】
１  柄
２  リング
３  支点
４  輪ゴム
５  輪ゴムの後方抜け防止ピン
６  下側挟み片
７  上側挟み片
８  ビニール袋の端挟み
９  ゴムＯリング
１０  ゴムＯリングの前側位置決めピン
１１  柄杓部
１２  ヒンジ
１３  スプリング
１４  上側指掛け
１５  下側指掛け
１６  ぶら下げ用掛け紐
１７  ビニール袋
【図１】
0003867214.tif 000002
【図２】
0003867214.tif 000003
【図３】
0003867214.tif 000004
【図４】
0003867214.tif 000005
【図５】
0003867214.tif 000006
【図６】
0003867214.tif 000007
【図７】
0003867214.tif 000008
【図８】
0003867214.tif 000009
【図９】
0003867214.tif 000010
【図１０】
0003867214.tif 000011
【図１１】
0003867214.tif 000012
【図１２】
0003867214.tif 000013